(57)【特許請求の範囲】
【請求項１】
表面を押圧することによる抵抗値の変化を利用して座標を検出する抵抗膜方式タッチパネルにおいて、
前記抵抗膜方式タッチパネルの表面または裏面に、前記抵抗膜方式タッチパネルによる色の変化を補正する顔料を混ぜた色補正フイルムを設けるとともに、
前記顔料が、
標準光源の色度と、抵抗膜方式タッチパネルを介したときの標準光源の色度とをｘｙ色度図上にプロットし、
ｘｙ色度図上にプロットした標準光源の色度から、プロットした抵抗膜方式タッチパネルを介した標準光源の色度に向かって線を引き、さらに線を延ばしていくことで、単色光軌跡と交わらせ、
その単色光軌跡と交わる点の波長を単色光軌跡上で読み取り、その単色光軌跡と交わる点の波長を吸収する顔料であることを特徴とする抵抗膜方式タッチパネル。
【請求項２】
表面を押圧することによる抵抗値の変化を利用して座標を検出する抵抗膜方式タッチパネルにおいて、
前記抵抗膜方式タッチパネルの表面または裏面に、前記抵抗膜方式タッチパネルによる色の変化を補正する顔料を混ぜた色補正粘着材を用いて、反射防止フィルムを貼り合わせるとともに、
前記顔料が、
標準光源の反射光の色度と、抵抗膜方式タッチパネルを介したときの標準光源の反射光の色度とをｘｙ色度図上にプロットし、
ｘｙ色度図上にプロットした標準光源の反射光の色度から、プロットした抵抗膜方式タッチパネルを介した標準光源の反射光の色度に向かって線を引き、さらに線を延ばしていくことで、単色光軌跡と交わらせ、
その単色光軌跡と交わる点の波長を単色光軌跡上で読み取り、その単色光軌跡と交わる点の波長を吸収する顔料であることを特徴とする抵抗膜方式タッチパネル。
【請求項３】
抵抗膜方式タッチパネル付き透過型液晶表示装置または反射型液晶表示装置において、
前記抵抗膜方式タッチパネルの表面または裏面に、前記抵抗膜方式タッチパネルによる色の変化を補正する顔料を混ぜた色補正フイルムを設けるととともに、
透過型液晶表示装置の場合、前記顔料が、
透過型液晶表示装置として画面上に表示すべき色度と、透過型液晶表示装置の上部に抵抗膜方式タッチパネルを配置したときの色度とをｘｙ色度図上にプロットし、
ｘｙ色度図上にプロットした画面上に表示すべき色度から、プロットした透過型液晶表示装置の上部に抵抗膜方式タッチパネルを配置したときの色度に向かって線を引き、さらに線を延ばしていくことで、単色光軌跡と交わらせ、
その単色光軌跡と交わる点の波長を、単色光軌跡上で読み取り、その単色光軌跡と交わる点の波長を吸収する顔料であり、
反射型液晶表示装置の場合、前記顔料が、
反射型液晶表示装置として画面上に表示すべき色度と、反射型液晶表示装置の上部に抵抗膜方式タッチパネルを配置したときの色度とをｘｙ色度図上にプロットし、
ｘｙ色度図上にプロットした反射型液晶表示装置の画面上に表示すべき色度から、プロットした反射型液晶表示装置の上部に抵抗膜方式タッチパネルを配置したときの色度に向かって線を引き、さらに線を延ばしていくことで、単色光軌跡と交わらせ、
その単色光軌跡と交わる点の波長を単色光軌跡上で読み取り、その単色光軌跡と交わる点の波長を吸収する顔料であることを特徴とする抵抗膜方式タッチパネル付き液晶表示装置。
【請求項４】
抵抗膜方式タッチパネル付き透過型液晶表示装置または反射型液晶表示装置において、
前記抵抗膜方式タッチパネルの表面または裏面に、前記抵抗膜方式タッチパネルによる色の変化を補正する顔料を混ぜた色補正粘着材を用いて、反射防止フィルムを貼り合わせるとともに、
透過型液晶表示装置の場合、前記顔料が、
透過型液晶表示装置として画面上に表示すべき色度と、透過型液晶表示装置の上部に抵抗膜方式タッチパネルを配置したときの色度とをｘｙ色度図上にプロットし、
ｘｙ色度図上にプロットした画面上に表示すべき色度から、プロットした透過型液晶表示装置の上部に抵抗膜方式タッチパネルを配置したときの色度に向かって線を引き、さらに線を延ばしていくことで、単色光軌跡と交わらせ、
その単色光軌跡と交わる点の波長を、単色光軌跡上で読み取り、その単色光軌跡と交わる点の波長を吸収する顔料であり、
反射型液晶表示装置の場合、前記顔料が、
反射型液晶表示装置として画面上に表示すべき色度と、反射型液晶表示装置の上部に抵抗膜方式タッチパネルを配置したときの色度とをｘｙ色度図上にプロットし、
ｘｙ色度図上にプロットした反射型液晶表示装置の画面上に表示すべき色度から、プロットした反射型液晶表示装置の上部に抵抗膜方式タッチパネルを配置したときの色度に向かって線を引き、さらに線を延ばしていくことで、単色光軌跡と交わらせ、
その単色光軌跡と交わる点の波長を単色光軌跡上で読み取り、その単色光軌跡と交わる点の波長を吸収する顔料であることを特徴とする抵抗膜方式タッチパネル付き液晶表示装置。
【発明の詳細な説明】
【０００１】
【発明の属する技術分野】
本発明は、抵抗膜方式タッチパネルにおいて、色味の変化を補正する方法に関するものである。さらに、抵抗膜方式タッチパネルと液晶表示装置を組み合わせた場合、抵抗膜方式タッチパネルを介することによる液晶表示装置の色味を補正する方法に関するものである。
【０００２】
【従来の技術】
近年、抵抗膜方式タッチパネルは携帯情報端末に代表される液晶表示装置の入力装置として多く利用されている。抵抗膜方式タッチパネルは、例えば、液晶表示装置の画面上に重ねることにより、押圧点の位置と表示位置とを対応させることができので、入力装置として用いられている。
【０００３】
従来の抵抗膜方式タッチパネルについて、図１７を用いて説明する。図１７に示すように、タッチパネル上部入力側フィルム１に蒸着された上側ＩＴＯ膜２と、下側に配置されたガラス基板３に蒸着された下側ＩＴＯ膜４とを、粘着材５により貼り合わす。上側ＩＴＯ膜２と下側ＩＴＯ膜４の間隔に、下側ＩＴＯ膜４の上部には、誤動作を防止するためのスペーサー６が設けられている。ガラス基板３の背面に粘着シート８を使用して、反射防止フィルム７を貼り合わせる。このようにして、抵抗膜方式タッチパネルは構成されている。
【０００４】
指やペンなどで上側ＩＴＯ膜２の上から押圧することにより、上側ＩＴＯ膜２と下側ＩＴＯ膜４とが導通する。この導通により、押圧点の位置が検知されて、入力装置として動作する。
【０００５】
【発明が解決しようとする課題】
図１７のような抵抗膜方式タッチパネルは、ＩＴＯやＳｎＯ2など透明電極やガラス自体の着色により、完全に無色透明ではなく、図１８に示すように、３８０ｎｍ近傍の波長の透過率が悪いので、抵抗膜方式タッチパネルの下に配置されている液晶表示装置の色を変化させている。
【０００６】
上記のように、抵抗膜方式タッチパネルの下に透過型液晶表示装置を配置すると、透過型液晶表示装置からの光が抵抗膜方式タッチパネルを通過する際に、ＩＴＯやＳｎＯ2など透明電極やガラス自体の着色による抵抗膜方式タッチパネルの着色により、液晶表示装置の表示品位を損なうことが問題になっている。
【０００７】
さらに、抵抗膜方式タッチパネルの下に反射型液晶表示装置を配置した場合、反射型液晶表示装置は外光を利用しているので、まず外光が抵抗膜方式タッチパネルを通る際に、抵抗膜方式タッチパネルにより着色し、さらに反射型液晶表示装置によって反射された光が、再度抵抗膜方式タッチパネルを通ることにより、着色される。このように、２回抵抗膜方式タッチパネルを光が通過することにより、反射型液晶表示装置の画像の色が変化して、表示品位を大きく損なうという問題がある。
【０００８】
また、通常の抵抗膜方式タッチパネルは光透過率が７０％と悪いために、光透過率を良くするために、抵抗膜方式タッチパネルの表面または裏面に光の位相差を利用した反射防止フィルムが貼られることが多い。しかし、反射防止フィルムの問題として、反射防止フィルムを光が透過する際に着色することが挙げられる。
【０００９】
反射型液晶表示装置の問題点として反射型液晶表示装置の反射率の低さが挙げられる。抵抗膜方式タッチパネルの下に反射型液晶表示装置を配置すると、光の利用効率が低下して、非常に視認性が悪くなる。
【００１０】
さらに、図１９に示すように、３８０ｎｍ近傍で反射率が低くなっていることにより、反射型液晶表示装置の白の表示が黄色く着色して見えることが、反射型液晶表示装置の問題点として挙げられる。
【００１１】
そこで、図１７に示すように、反射防止フィルム７を抵抗膜方式タッチパネルに貼り合わせる場合が多い。さらに、抵抗膜方式タッチパネルの透過率を上げるために、抵抗膜方式タッチパネルの表裏両面に反射防止フィルムを貼り合わせると、外光が抵抗膜方式タッチパネルを通過して、反射型液晶表示装置に入射する際に、２枚の反射防止シートを光が通過する。さらに、反射型液晶表示装置で反射した光が、再び２枚の反射防止シートを光が通過するので、大きく着色してしまう。
【００１２】
また、特開平７−１３６９５号公報では、下記のような技術を開示している。可動電極フィルムの下面に可動電極が形成される前に、透明な収縮性樹脂層を形成する。可動電極フィルムからオリゴマーが析出しなくなるので、可動電極フィルムが白化することなく、透明抵抗膜方式タッチパネルは透明性が高く、外観および視認性に優れたものとなる。しかし、色味の変化を補正する方法については、記載がない。
【００１３】
【課題を解決するための手段】
請求項１記載の抵抗膜方式タッチパネルは、前記抵抗膜方式タッチパネルの表面または裏面に、前記抵抗膜方式タッチパネルによる色の変化を補正する顔料を混ぜた色補正フイルムを設けるとともに、前記顔料が、標準光源の色度と、抵抗膜方式タッチパネルを介したときの標準光源の色度とをｘｙ色度図上にプロットし、ｘｙ色度図上にプロットした標準光源の色度から、プロットした抵抗膜方式タッチパネルを介した標準光源の色度に向かって線を引き、さらに線を延ばしていくことで、単色光軌跡と交わらせ、その単色光軌跡と交わる点の波長を単色光軌跡上で読み取り、その単色光軌跡と交わる点の波長を吸収する顔料であることを特徴とする。
【００１４】
請求項２記載の抵抗膜方式タッチパネルは、前記抵抗膜方式タッチパネルの表面または裏面に、前記抵抗膜方式タッチパネルによる色の変化を補正する顔料を混ぜた色補正粘着材を用いて、反射防止フィルムを貼り合わせるとともに、前記顔料が、標準光源の反射光の色度と、抵抗膜方式タッチパネルを介したときの標準光源の反射光の色度とをｘｙ色度図上にプロットし、ｘｙ色度図上にプロットした標準光源の反射光の色度から、プロットした抵抗膜方式タッチパネルを介した標準光源の反射光の色度に向かって線を引き、さらに線を延ばしていくことで、単色光軌跡と交わらせ、その単色光軌跡と交わる点の波長を単色光軌跡上で読み取り、その単色光軌跡と交わる点の波長を吸収する顔料であることを特徴とする。
【００１５】
請求項３記載の抵抗膜方式タッチパネル付き透過型液晶表示装置または反射型液晶表示装置は、前記抵抗膜方式タッチパネルの表面または裏面に、前記抵抗膜方式タッチパネルによる色の変化を補正する顔料を混ぜた色補正フイルムを設けるととともに、透過型液晶表示装置の場合、前記顔料が、透過型液晶表示装置として画面上に表示すべき色度と、透過型液晶表示装置の上部に抵抗膜方式タッチパネルを配置したときの色度とをｘｙ色度図上にプロットし、ｘｙ色度図上にプロットした画面上に表示すべき色度から、プロットした透過型液晶表示装置の上部に抵抗膜方式タッチパネルを配置したときの色度に向かって線を引き、さらに線を延ばしていくことで、単色光軌跡と交わらせ、その単色光軌跡と交わる点の波長を、単色光軌跡上で読み取り、その単色光軌跡と交わる点の波長を吸収する顔料であり、反射型液晶表示装置の場合、前記顔料が、反射型液晶表示装置として画面上に表示すべき色度と、反射型液晶表示装置の上部に抵抗膜方式タッチパネルを配置したときの色度とをｘｙ色度図上にプロットし、ｘｙ色度図上にプロットした反射型液晶表示装置の画面上に表示すべき色度から、プロットした反射型液晶表示装置の上部に抵抗膜方式タッチパネルを配置したときの色度に向かって線を引き、さらに線を延ばしていくことで、単色光軌跡と交わらせ、その単色光軌跡と交わる点の波長を単色光軌跡上で読み取り、その単色光軌跡と交わる点の波長を吸収する顔料であることを特徴とする。
【００１６】
請求項４記載の抵抗膜方式タッチパネル付き透過型液晶表示装置または反射型液晶表示装置は、前記抵抗膜方式タッチパネルの表面または裏面に、前記抵抗膜方式タッチパネルによる色の変化を補正する顔料を混ぜた色補正粘着材を用いて、反射防止フィルムを貼り合わせるとともに、透過型液晶表示装置の場合、前記顔料が、透過型液晶表示装置として画面上に表示すべき色度と、透過型液晶表示装置の上部に抵抗膜方式タッチパネルを配置したときの色度とをｘｙ色度図上にプロットし、ｘｙ色度図上にプロットした画面上に表示すべき色度から、プロットした透過型液晶表示装置の上部に抵抗膜方式タッチパネルを配置したときの色度に向かって線を引き、さらに線を延ばしていくことで、単色光軌跡と交わらせ、その単色光軌跡と交わる点の波長を、単色光軌跡上で読み取り、その単色光軌跡と交わる点の波長を吸収する顔料であり、反射型液晶表示装置の場合、前記顔料が、反射型液晶表示装置として画面上に表示すべき色度と、反射型液晶表示装置の上部に抵抗膜方式タッチパネルを配置したときの色度とをｘｙ色度図上にプロットし、ｘｙ色度図上にプロットした反射型液晶表示装置の画面上に表示すべき色度から、プロットした反射型液晶表示装置の上部に抵抗膜方式タッチパネルを配置したときの色度に向かって線を引き、さらに線を延ばしていくことで、単色光軌跡と交わらせ、その単色光軌跡と交わる点の波長を単色光軌跡上で読み取り、その単色光軌跡と交わる点の波長を吸収する顔料であることを特徴とする。
【００１７】
上記構成による作用を説明する。
【００１８】
請求項１記載の抵抗膜方式タッチパネルの構成によれば、抵抗膜方式タッチパネル自身による色の変化を補正することができる。その上、顔料の量は標準光源の色度と抵抗膜方式タッチパネルを介したときの標準光源の色度の差に応じて調整すれば良い。
【００１９】
請求項２記載の抵抗膜方式タッチパネルの構成によれば、抵抗膜方式タッチパネル自身による色の変化を補正することができる。また、色補正粘着材を用いるため、抵抗膜方式タッチパネルの構成部材が増えることがないので、大幅なコスト上昇がない。その上、顔料の量は標準光源の反射光の色度と抵抗膜方式タッチパネルを介したときの標準光源の反射光の色度の差に応じて調整すれば良い。
【００２０】
請求項３記載の抵抗膜方式タッチパネル付き透過型液晶表示装置または反射型液晶表示装置の構成によれば、本発明の抵抗膜方式タッチパネルの下に配置された液晶表示装置の表示の色が、抵抗膜方式タッチパネルにより変化することがなくなると同時に、正確に白色が再現されていない液晶表示装置の色を抵抗膜方式タッチパネルで補正することができる。その上、透過型液晶表示装置の場合、顔料の量は透過型液晶表示装置の画面上に表示すべき色度と、液晶表示装置の上部に抵抗膜方式タッチパネルを配置したときの色度の差に応じて調整すれば良い。また、反射型液晶表示装置の場合、顔料の量は反射型液晶表示装置の画面上に表示すべき色度と、反射型液晶表示装置の上部に抵抗膜方式タッチパネルを配置したときの色度の差に応じて調整すれば良い。
【００２１】
請求項４記載の抵抗膜方式タッチパネル付き透過型液晶表示装置または反射型液晶表示装置の構成によれば、本発明の抵抗膜方式タッチパネルの下に配置された液晶表示装置の表示の色が、抵抗膜方式タッチパネルにより変化することがなくなると同時に、正確に白色が再現されていない液晶表示装置の色を抵抗膜方式タッチパネルで補正することができる。その上、透過型液晶表示装置の場合、顔料の量は透過型液晶表示装置の画面上に表示すべき色度と、液晶表示装置の上部に抵抗膜方式タッチパネルを配置したときの色度の差に応じて調整すれば良い。また、反射型液晶表示装置の場合、顔料の量は反射型液晶表示装置の画面上に表示すべき色度と、反射型液晶表示装置の上部に抵抗膜方式タッチパネルを配置したときの色度の差に応じて調整すれば良い。
【００２２】
【発明の実施の形態】
（実施形態１）
実施形態１について、図１または図２を用いて説明する。図１に示すように、タッチパネル上部入力側フィルム１に蒸着された上側ＩＴＯ膜２と、下側に配置されたガラス基板３に蒸着された下側ＩＴＯ膜４とを、粘着材５により貼り合わす。上側ＩＴＯ膜２と下側ＩＴＯ膜４の間隔に、下側ＩＴＯ膜４の上部には、誤動作を防止するためのスペーサー６が設けられている。ガラス基板３の背面に粘着シート８を使用して、反射防止フィルム７を貼り合わせる。
【００２３】
次に、抵抗膜方式タッチパネルの表面に、抵抗膜方式タッチパネルによる色の変化を抑える顔料を混ぜた色補正フィルム９を貼り付ける。このようにして、抵抗膜方式タッチパネルが組み立てられる。色補正フィルム９を設けることが、従来の構成と異なる。
【００２４】
あるいは、図２に示すように、抵抗膜方式タッチパネル裏面に、抵抗膜方式タッチパネルによる色の変化を抑える顔料を混ぜた色補正フィルム１０を貼り付けても良い。
【００２５】
抵抗膜方式タッチパネルの表面または裏面に色補正フィルムを用いることにより、抵抗膜方式タッチパネル自身による色の変化を補正することができる。
【００２６】
（実施形態２）
実施形態２について、図３を用いて説明する。図３に示すように、図１７の粘着シート８に代えて、抵抗膜方式タッチパネルによる色の変化を抑える顔料を混ぜた色補正粘着シート２８を設ける。それ以外の構成は、従来と同様である。
【００２７】
図３では、ガラス基板３の背面に色補正粘着シート２８を使用して、反射防止フィルム７を貼り合わせているが、図４に示すように、抵抗膜方式タッチパネルの表面の上部入力側フィルム１に、色補正粘着シート２８を使用して、反射防止フィルム７を貼り合わせても良い。
【００２８】
色味の変化を補正する顔料を混ぜた色補正粘着シートを用いることにより、抵抗膜方式タッチパネル自身による色の変化を補正することができる。また、色補正粘着シートを用いる場合、抵抗膜方式タッチパネルの構成部材が増えることがないので、大幅なコスト上昇がない。
【００２９】
（実施形態３）
実施形態３について、図５〜図８を用いて説明する。図５〜図８に示すように、実施形態１または実施形態２の抵抗膜方式タッチパネルの下に、透過型液晶表示装置３１を設ける構成である。３２は透過型液晶表示パネルであり、３３はバックライトである。
【００３０】
本発明の抵抗膜方式タッチパネルの下に配置された液晶表示装置の表示の色が、抵抗膜方式タッチパネルにより変化することがなくなると同時に、正確に白色が再現されていない液晶表示装置の色を抵抗膜方式タッチパネルで補正することができる。
【００３１】
（実施形態４）
実施形態４について、図９〜図１２を用いて説明する。図９〜図１２に示すように、実施形態１または実施形態２の抵抗膜方式タッチパネルの下に、反射型液晶表示装置３５を設ける構成である。
【００３２】
特に、モバイル機器に多く用いられている反射型液晶表示装置の場合には、外光が反射型液晶表示装置に入射する際に、抵抗膜方式タッチパネルを通り、反射型液晶表示装置で反射した後、抵抗膜方式タッチパネルを再び通るので、抵抗膜方式タッチパネルによる着色が大きいという問題点があった。しかし、本発明の抵抗膜方式タッチパネルの下に、反射型液晶表示装置を配置すると、反射型液晶表示装置の表示の色が抵抗膜方式タッチパネルにより変化することがなくなると同時に、正確に白色が再現されていない反射型液晶表示装置の色を、抵抗膜方式タッチパネルで補正することができる。
【００３３】
（透過光を利用する場合の顔料の選択方法）
色補正フィルムまたは色補正粘着シートに混ぜ合わせる顔料について述べる。色度の測定は、ＪＩＳＺ８７２２の測定方法に基づいて行う。標準光源の色度を測定し、次に、標準光源を色補正フィルムまたは色補正粘着シートを用いた抵抗膜方式タッチパネルを介して色度を測定する。この標準光源の色度と抵抗膜方式タッチパネルを介したときの標準光源の色度差が、今回補正すべき色度のシフト量である。
【００３４】
ｘｙ色度図上の標準光源の色度から、抵抗膜方式タッチパネルを介した標準光源の色度に向かって線を引き、さらに線を延ばしていくと、単色光軌跡と交わる点がある。その単色光軌跡と交わる点の波長を単色光軌跡上で読み取る。その単色光軌跡と交わる点の波長を吸収する顔料を選択する。顔料の量は標準光源の色度と抵抗膜方式タッチパネルを介したときの標準光源の色度の差に応じて調整すれば良い。
【００３５】
（透過光を利用する場合、抵抗膜方式タッチパネル単独（実施形態１、２）の顔料の選択方法）
透過光を利用する場合、抵抗膜方式タッチパネル単独（実施形態１または実施形態２）の顔料の選択方法について説明する。図１３に示すように、標準光源の色度１１と、抵抗膜方式タッチパネルを介したときの標準光源の色度１２をｘｙ色度図上にプロットし、ｘｙ色度図上にプロットした標準光源の色度１１から、プロットした抵抗膜方式タッチパネルを介した標準光源の色度１２に向かって線を引き、さらに線を延ばしていくと、単色光軌跡と交わる点１３がある。その単色光軌跡と交わる点１３の波長を単色光軌跡上で読み取る。その単色光軌跡と交わる点１３の波長を吸収する顔料を選択する。顔料の量は標準光源の色度１１と抵抗膜方式タッチパネルを介したときの標準光源の色度１２の差に応じて調整すれば良い。
【００３６】
（透過型液晶表示装置と抵抗膜方式タッチパネルとを組み合わせた場合（実施形態３）の顔料の選択方法）
抵抗膜方式タッチパネルの下に透過型液晶表示装置を配置した構成（実施形態３）において、透過型液晶表示装置の色を、抵抗膜方式タッチパネル側で色を補正する場合について説明する。図１４に示すように、透過型液晶表示装置として画面上に表示すべき色度１４と、透過型液晶表示装置の上部に抵抗膜方式タッチパネルを配置したときの色度１５をｘｙ色度図上にプロットし、ｘｙ色度図上にプロットした画面上に表示すべき色度１４から、プロットした透過型液晶表示装置の上部に抵抗膜方式タッチパネルを配置したときの色度１５に向かって線を引き、さらに線を延ばしていくと、単色光軌跡と交わる点１６がある。その単色光軌跡と交わる点１６の波長を、単色光軌跡上で読み取る。その単色光軌跡と交わる点１６の波長を吸収する顔料を選択する。顔料の量は透過型液晶表示装置の画面上に表示すべき色度１４と、液晶表示装置の上部に抵抗膜方式タッチパネルを配置したときの色度１５の差に応じて調整すれば良い。
【００３７】
（反射光を利用する場合の顔料の選択方法）
色補正フィルムまたは色補正粘着シートに混ぜ合わせる顔料について述べる。色度の測定は、ＪＩＳＺ８７２２の測定方法に基づいて行う。標準光源を標準白色板（ＢａＳＯ4）で反射させ、標準光源の反射光の色度を測定し、次に、標準光源を抵抗膜方式タッチパネルを介して標準白色板（ＢａＳＯ4）で反射した標準光源の色度を測定する。この標準光源の反射光の色度と、抵抗膜方式タッチパネルを介したときの標準光源の反射光の色度の差が、今回補正すべき色度のシフト量である。
【００３８】
ｘｙ色度図上の標準光源の反射光の色度から、抵抗膜方式タッチパネルを介した標準光源の反射光の色度に向かって線を引き、さらに線を延ばしていくと、単色光軌跡と交わる点がある。その単色光軌跡と交わる点の波長を単色光軌跡上で読み取る。その単色光軌跡と交わる点の波長を吸収する顔料を選択する。顔料の量は標準光源の反射光の色度と抵抗膜方式タッチパネルを介したときの標準光源の反射光の色度の差に応じて調整すれば良い。
【００３９】
（反射光を利用する場合、抵抗膜方式タッチパネル単独（実施形態１、２）の顔料の選択方法）
反射光を利用する場合、抵抗膜方式タッチパネル単独（実施形態１または実施形態２）の顔料の選択方法について説明する。図１５に示すように、標準光源の反射光の色度１７と、抵抗膜方式タッチパネルを介したときの標準光源の反射光の色度１８をｘｙ色度図上にプロットし、ｘｙ色度図上にプロットした標準光源の反射光の色度１７から、プロットした抵抗膜方式タッチパネルを介した標準光源の反射光の色度１８に向かって線を引き、さらに線を延ばしていくと、単色光軌跡と交わる点１９がある。その単色光軌跡と交わる点１９の波長を単色光軌跡上で読み取る。前記単色光軌跡と交わる点１９の波長を吸収する顔料を選択する。顔料の量は標準光源の反射光の色度１７と抵抗膜方式タッチパネルを介したときの標準光源の反射光の色度１８の差に応じて調整すれば良い。
【００４０】
（反射型液晶表示装置と抵抗膜方式タッチパネルとを組み合わせた場合（実施形態４）の顔料の選択方法）
抵抗膜方式タッチパネルの下に反射型液晶表示装置を配置した構成（実施形態４）において、反射型液晶表示装置の色を、抵抗膜方式タッチパネル側で色を補正する場合について説明する。図１６に示すように、反射型液晶表示装置として画面上に表示すべき色度２０と、反射型液晶表示装置の上部に抵抗膜方式タッチパネルを配置したときの色度２１をｘｙ色度図上にプロットし、ｘｙ色度図上にプロットした反射型液晶表示装置の画面上に表示すべき色度２０から、プロットした反射型液晶表示装置の上部に抵抗膜方式タッチパネルを配置したときの色度２１に向かって線を引き、さらに線を延ばしていくと、単色光軌跡と交わる点２２がある。その単色光軌跡と交わる点２２の波長を単色光軌跡上で読み取る。その単色光軌跡と交わる点２２の波長を吸収する顔料を選択する。顔料の量は反射型液晶表示装置の画面上に表示すべき色度２０と、反射型液晶表示装置の上部に抵抗膜方式タッチパネルを配置したときの色度２１の差に応じて調整すれば良い。
【００４１】
（顔料の種類）
本発明の色味を補正するために使用する顔料としては、カラーインデックス（Ｃ．Ｉ．）ナンバーとして、下記の顔料が挙げられる。下記の顔料は、透明性が高く、しかも耐熱性、耐候性、耐薬品性に優れていることから好適である。
【００４２】
0003680157.tif 000002
【００４３】
（顔料の調整方法）
正確に色補正を行うには、２種類以上の顔料を混ぜて使用する場合が多い。例えば、顔料Ａと顔料Ｂを混ぜて顔料Ｃというものができる。その顔料Ｃの分光透過率と、透過型液晶表示装置の場合であれば透過型液晶表示装置の分光透過率、反射型液晶表示装置の場合であれば反射型液晶表示装置自身の分光反射率を掛け合わせ、三刺激値を求めることにより、色度（ｘ，ｙ）が得られる。最適な色度（ｘ，ｙ）になるように、顔料Ａ、Ｂの量を調整する。調整は、あらかじめコンピューター上でシュミレーションを行った後、試作で確認すれば良い。調整する際、できるだけ抵抗膜方式タッチパネルの透過率が高くなるように注意して行う。３種類以上の顔料を混ぜる場合でも、同様に調整すれば良い。
【００４４】
【発明の効果】
抵抗膜方式タッチパネルの表面または裏面に色補正フィルム、または色味の変化を補正する顔料を混ぜた色補正粘着シートを用いることにより、抵抗膜方式タッチパネル自身による色の変化を補正することができる。さらに、色味の変化を補正する顔料を混ぜた色補正粘着シートを用いる場合、抵抗膜方式タッチパネルの構成部材が増えることがないので、大幅なコスト上昇がない。その上、透過光を利用する場合、顔料の量は標準光源の色度と抵抗膜方式タッチパネルを介したときの標準光源の色度の差に応じて調整すれば良い。また、反射光を利用する場合、顔料の量は標準光源の反射光の色度と抵抗膜方式タッチパネルを介したときの標準光源の反射光の色度の差に応じて調整すれば良い。
【００４５】
本発明の抵抗膜方式タッチパネルの下に、液晶表示装置を配置すると、液晶表示装置の表示の色が抵抗膜方式タッチパネルにより変化することがなくなると同時に、正確に白色が再現されていない液晶表示装置の色を、抵抗膜方式タッチパネルで補正することができる。その上、透過型液晶表示装置の場合、顔料の量は透過型液晶表示装置の画面上に表示すべき色度と、液晶表示装置の上部に抵抗膜方式タッチパネルを配置したときの色度の差に応じて調整すれば良い。また、反射型液晶表示装置の場合、顔料の量は反射型液晶表示装置の画面上に表示すべき色度と、反射型液晶表示装置の上部に抵抗膜方式タッチパネルを配置したときの色度の差に応じて調整すれば良い。
【図面の簡単な説明】
【図１】抵抗膜方式タッチパネルの表面に色補正フイルム９を貼り付けた実施形態１の図である。
【図２】抵抗膜方式タッチパネルの裏面に色補正フイルム１０を貼り付けた実施形態１の図である。
【図３】抵抗膜方式タッチパネルの裏面に色補正粘着シート２８を設けた実施形態２の図である。
【図４】抵抗膜方式タッチパネルの表面に色補正粘着シート２８を設けた実施形態２の図である。
【図５】実施形態１の抵抗膜方式タッチパネルの下に、透過型液晶表示装置を設けた実施形態３の図である。
【図６】実施形態１の抵抗膜方式タッチパネルの下に、透過型液晶表示装置を設けた実施形態３の図である。
【図７】実施形態２の抵抗膜方式タッチパネルの下に、透過型液晶表示装置を設けた実施形態３の図である。
【図８】実施形態２の抵抗膜方式タッチパネルの下に、透過型液晶表示装置を設けた実施形態３の図である。
【図９】実施形態１の抵抗膜方式タッチパネルの下に、反射型液晶表示装置を設けた実施形態４の図である。
【図１０】実施形態１の抵抗膜方式タッチパネルの下に、反射型液晶表示装置を設けた実施形態４の図である。
【図１１】実施形態２の抵抗膜方式タッチパネルの下に、反射型液晶表示装置を設けた実施形態４の図である。
【図１２】実施形態２の抵抗膜方式タッチパネルの下に、反射型液晶表示装置を設けた実施形態４の図である。
【図１３】透過光を利用する場合、抵抗膜方式タッチパネル単独（実施形態１、２）の顔料の選択方法を説明するための色度図である。
【図１４】抵抗膜方式タッチパネルと透過型液晶表示装置とを組み合わせる場合（実施形態３）の顔料の選択方法を説明するための色度図である。
【図１５】反射光を利用する場合、抵抗膜方式タッチパネル単独（実施形態１、２）の顔料の選択方法を説明するための色度図である。
【図１６】抵抗膜方式タッチパネルと反射型液晶表示装置とを組み合わせる場合（実施形態４）の顔料の選択方法を説明するための色度図である。
【図１７】従来の抵抗膜方式タッチパネルの構成を示す図である。
【図１８】従来の抵抗膜方式タッチパネルにおける波長透過率特性を示す図である。
【図１９】反射型液晶表示装置の波長反射率特性を示す図である。
【符号の説明】
１      タッチパネル上部入力側フィルム
２      上側ＩＴＯ膜
３      ガラス基板
４      下側ＩＴＯ膜
５      粘着材
６      スペーサー
７      反射防止フイルム
８      粘着シート
９、１０      色補正フイルム
１１      標準光源の色度
１２      抵抗膜方式タッチパネルを介したときの標準光源の色度
１３、１６、１９、２２      単色光軌跡と交わる点
１４      透過型液晶表示装置として画面上に表示すべき色度
１５      透過型液晶表示装置の上部に抵抗膜方式タッチパネルを配置したときの色度
１７      標準光源の反射光の色度
１８      抵抗膜方式タッチパネルを介したときの標準光源の反射光の色度
２０      反射型液晶表示装置として画面上に表示すべき色度
２１      反射型液晶表示装置の上部に抵抗膜方式タッチパネルを配置したときの色度
２８      色補正粘着シート
３１      透過型液晶表示装置
３５      反射型液晶表示装置
【図１】
0003680157.tif 000003
【図２】
0003680157.tif 000004
【図３】
0003680157.tif 000005
【図４】
0003680157.tif 000006
【図５】
0003680157.tif 000007
【図６】
0003680157.tif 000008
【図７】
0003680157.tif 000009
【図８】
0003680157.tif 000010
【図９】
0003680157.tif 000011
【図１０】
0003680157.tif 000012
【図１１】
0003680157.tif 000013
【図１２】
0003680157.tif 000014
【図１３】
0003680157.tif 000015
【図１４】
0003680157.tif 000016
【図１５】
0003680157.tif 000017
【図１６】
0003680157.tif 000018
【図１７】
0003680157.tif 000019
【図１８】
0003680157.tif 000020
【図１９】
0003680157.tif 000021